(57)【特許請求の範囲】
【請求項１】
無線中継ネットワークの中継局において結合処理に用いられる方法であって、
ａ．複数の復号されたビットストリームを生成するために、複数の移動端末からのアップリンク信号の複数の経路をそれぞれ復調および復号するステップと、
ｂ．１つまたは複数のシフト・パラメータのグループのそれぞれに基づいて、
ｉ．Ｍ個のシフトされたビットストリームを生成するために、前記シフト・パラメータのグループ中のＭ個のシフト・パラメータに基づいて、複数の復号されたビットストリーム中のＭ個の復号されたビットストリームをそれぞれシフトするステップと、
ｉｉ．チェック用ビットストリームを生成するために、Ｍ個のシフトされたビットストリームを統合するステップと
をそれぞれ実施するステップであって、各シフト・パラメータのグループがＭ個のシフト・パラメータを含む、ステップと、
ｃ．ステップｂで生成された前記１つまたは複数のチェック用ビットストリームを基地局に送信するステップと
を含み、前記チェック用ビットストリームが、前記基地局において前記アップリンク信号の複数の経路を処理するために使用される、方法。
【請求項２】
前記ステップｂの前に、
前記複数の移動端末から、所定の条件を満たすＭ個の移動端末を選択するステップを含み、
前記ステップｉが、
前記Ｍ個のシフトされたビットストリームを生成するために、前記選択されたＭ個の移動端末に対応する、前記複数の復号されたビットストリームからの前記Ｍ個の復号されたビットストリームを、前記シフト・パラメータのグループ中の前記Ｍ個のシフト・パラメータに基づいてそれぞれシフトするステップをさらに含む、請求項１に記載の方法。
【請求項３】
前記複数の移動端末から、所定の条件を満たす前記Ｍ個の移動端末を選択する前記ステップが、
前記複数の移動端末から前記Ｍ個の移動端末を選択するステップを含み、前記選択されたＭ個の移動端末のフレーム長が前記所定の条件を満たし、前記選択された移動端末が同一の変調方式を用いる、請求項２に記載の方法。
【請求項４】
前記ステップｉが、以下の式で表され、
ｅｎ，ｍ＝ｆｎ，ｍ（ＵＳＥＲｍ）
ｎ＝１．．．Ｎ
ｍ＝１．．．Ｍ
Ｎが前記１つまたは複数のシフト・パラメータのグループの数であり、ｆｎ，ｍ（ＵＳＥＲｍ）が、ｎ番目の前記シフト・パラメータのグループのｍ番目の前記シフト・パラメータを用いて、ｍ番目の前記復号されたビットストリームＵＳＥＲｍをｎ×ｍビットだけ左に循環シフトすることを意味する、請求項１に記載の方法。
【請求項５】
前記ステップｉｉが、前記統合されたビットストリームを生成するために、前記Ｍ個のシフトされたビットストリームに対して排他的論理和の処理を実施するステップを含む、請求項１に記載の方法。
【請求項６】
前記ステップが、前記ステップａよりも前に、
前記複数の移動端末から直交周波数を用いて送信される、前記アップリンク信号の複数の経路を受信するステップを含む、請求項１に記載の方法。
【請求項７】
前記無線中継ネットワークが、ロング・ターム・レボリューションネットワーク、またはＷｉＭＡＸネットワーク、またはさらにロング・ターム・レボリューションの革新ネットワークである、請求項１乃至６のいずれか１項に記載の方法。
【請求項８】
無線中継ネットワークの基地局において、複数の移動端末からのアップリンク信号を処理するために用いられる方法であって、
１つまたは複数のシフト・パラメータのグループを取得するステップを含み、前記１つまたは複数のシフト・パラメータのグループを中継局で使用して、前記複数の移動端末のアップリンク信号から復調および復号された、複数の復号されたビットストリーム中のＭ個の復号されたビットストリームをシフト処理し、さらに、
前記中継局から送信された１つまたは複数のチェック用ビットストリームを受信するステップと、
前記１つまたは複数のチェック用ビットストリームおよび前記１つまたは複数のシフト・パラメータのグループに基づいて、前記Ｍ個の移動端末からの前記アップリンク信号のＭ個の経路を処理するステップと
を含む、方法。
【請求項９】
前記１つまたは複数のシフト・パラメータのグループを前記取得するステップが、
前記中継局から、前記１つまたは複数のシフト・パラメータのグループを含むパラメータのグループの通知メッセージを受信するステップと、
前記パラメータのグループの通知メッセージから、前記１つまたは複数のシフト・パラメータのグループを抽出するステップと
を含む、請求項８に記載の方法。
【請求項１０】
前記無線中継ネットワークが、ロング・ターム・レボリューションネットワーク、またはＷｉＭＡＸネットワーク、またはさらにロング・ターム・レボリューションの革新ネットワークである、請求項８または９のいずれか１項に記載の方法。
【請求項１１】
無線中継ネットワークの中継局において結合処理を行う第１のデバイスであって、
複数の復号されたビットストリームを生成するために、複数の移動端末からのアップリンク信号の複数の経路をそれぞれ復調および復号するための、復調器および復号器と、
１つまたは複数のシフト・パラメータのグループのそれぞれに基づいて、
Ｍ個のシフトされたビットストリームを生成するために、各シフト・パラメータのグループ中のＭ個のシフト・パラメータに基づいて、前記複数の復号されたビットストリーム中のＭ個の復号されたビットストリームをそれぞれシフトするステップと、
チェック用ビットストリームを生成するために、前記Ｍ個のシフトされたビットストリームを統合するステップと
をそれぞれ実施するシフト・ユニットおよび統合ユニットと、
前記１つまたは複数のチェック用ビットストリームを前記基地局に送信するための送信機と
を含み、前記チェック用ビットストリームが前記基地局において複数ユーザーの検出の処理に使用される、デバイス。
【請求項１２】
無線中継ネットワークの基地局において、複数の移動端末からのアップリンク信号を受信する第２のデバイスであって、
１つまたは複数のシフト・パラメータのグループを取得するための取得ユニットを含み、
前記１つまたは複数のシフト・パラメータのグループを中継局で使用して、前記複数の移動端末のアップリンク信号から復調および復号された、複数の復号されたビットストリーム中のＭ個の復号されたビットストリームをシフト処理し、さらに、
前記中継局から送信された１つまたは複数のチェック用ビットストリームを受信するための第２の受信機と、
前記１つまたは複数のチェック用ビットストリームおよび前記１つまたは複数のシフト・パラメータのグループに基づいて、前記Ｍ個の移動端末からの前記アップリンク信号のＭ個の経路を処理するための実行ユニットと
を含む、デバイス。
【請求項１３】
請求項１１に記載の第１のデバイスを含む、無線通信ネットワークの中継局。
【請求項１４】
請求項１２に記載の第２のデバイスを含む、無線通信ネットワークの基地局。
【発明の詳細な説明】
【技術分野】
【０００１】
本発明は無線中継ネットワークに関し、特に、中継局における、複数の移動端末からの無線信号の結合処理の方法および機器、ならびに、基地局における、基地局によって支援される対応する処理のための方法および機器に関する。
【背景技術】
【０００２】
無線中継技術は、ネットワーク容量の向上およびネットワークのカバレッジの改善に、非常に重要である。したがって、無線中継は、ＩＥＥＥ８０２．１６のプロトコルに基づくＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワークの重要な要素である。一方、多くの企業が、無線中継技術を、ロング・ターム・レボリューション無線ネットワーク（ＬＴＥ）およびさらに、ロング・ターム・レボリューションの革新ネットワーク（ＬＴＥ−Ａｄｖａｎｃｅｄ）に適用することを提案している。
【０００３】
現在のＲＳ（中継局）は、主にレイヤ１（Ｌ１）中継局およびレイヤ２中継局に分けられる。ここで、Ｌ１中継局は、移動端末からのアップリンク信号を受け取った後、復号することなくそのまま転送する。それとは異なり、Ｌ２中継局は、移動端末からのアップリンク信号を復号し、フィルタリングし、再符号化してから、基地局に転送する。
【０００４】
２種類の中継局は、比較するとそれぞれに利点と欠点がある。
【０００５】
Ｌ１中継局は、アップリンク信号を復号するためのコーデックを備えていなくてもよい。また、Ｌ１中継局で発生する遅延はほとんどない。しかし、Ｌ２中継局と比較すると、転送される信号で運ばれるノイズが多い。
【０００６】
Ｌ２中継局は、アップリンク信号を復号しなければならないため、コーデックを備えていなければならない。したがって、Ｌ１中継局と比較すると、コストが高く、符号化および復号により発生する遅延が大きい。Ｌ２中継局の利点は、転送される信号のフィルタリングノイズであり、基地局で信号を受信する際に有益である。
【０００７】
複数のユーザー間での周波数分割多重送信（図１参照）、例えばＬＴＥ−ＴＤＤによる無線中継ネットワークを考える。このとき、移動端末と基地局との間でのアップリンク通信およびダウンリンク通信は、時分割方式を採用する。
【０００８】
このとき、セルの周縁にある各移動端末３０〜３５は、自身のアップリンク信号を異なる周波数で送信する。これらのアップリンク信号は、基地局（ＢＳまたはｅ−Ｎｏｄｅ  Ｂ）１０だけではなく、中継局２０にも到達する。
【０００９】
そして、基地局１０は、各移動端末からそのまま受信したアップリンク信号をバッファリングする。中継局２０は、各アップリンク信号を復調および復号し、ノイズをフィルタリングし、信号を符号化および変調し、そして直交周波数で基地局１０に信号を伝送する。最後に基地局１０は、各移動端末からそのまま受信したアップリンク信号と、中継局２０によって転送されたアップリンク信号を統合し、このことにより中継局２０からさらなる１次のダイバーシティ利得を得る。
【先行技術文献】
【非特許文献】
【００１０】
【非特許文献１】Ｔ．Ｗａｎｇ、Ｇ．Ｂ．Ｇｉａｎｎａｋｉｓ、「Ｃｏｍｐｌｅｘ  Ｆｉｅｌｄ  Ｎｅｔｗｏｒｋ  Ｃｏｄｉｎｇ  ｆｏｒ  Ｍｕｌｔｉｕｓｅｒ  Ｃｏｏｐｅｒａｔｉｖｅ  Ｃｏｍｍｕｎｉｃａｔｉｏｎｓ」、ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ、２６巻、３号、２００８年４月
【発明の概要】
【発明が解決しようとする課題】
【００１１】
しかし、この方式では通常、中継局２０は各移動端末からアップリンク信号を同時に受信するが、処理は別々に行う。上記の１次のダイバーシティ利得は非常に限られており、低ＳＮＲの場合は理想的ではない。
【００１２】
ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ、２６巻、３号、２００８年４月は、Ｔ．ＷａｎｇおよびＧ．Ｂ．Ｇｉａｎｎａｋｉｓにより執筆された「Ｃｏｍｐｌｅｘ  Ｆｉｅｌｄ  Ｎｅｔｗｏｒｋ  Ｃｏｄｉｎｇ  ｆｏｒ  Ｍｕｌｔｉｕｓｅｒ  Ｃｏｏｐｅｒａｔｉｖｅ  Ｃｏｍｍｕｎｉｃａｔｉｏｎｓ」を収録している。ここで、上記論文では、結合処理による余剰の利得を得るために、複数の移動端末からのアップリンク信号を、変調レベルの符号に統合することを提案している。しかし、この方式は、ＳＮＲが低い場合には性能が低い。
【課題を解決するための手段】
【００１３】
本発明は、従来技術における上記の問題を解決するために提案される。本発明のある実施形態によれば、中継局はＭ個の移動端末からのＭ個のアップリンク信号を復調および復号し、１つまたは複数のシフト・パラメータ（ｓｈｉｆｔ  ｐａｒａｍｅｔｅｒ）のグループのそれぞれを用いて、以下の操作を実施する。すなわち、グループ中のＭ個のシフト・パラメータに基づいて、Ｍ個の復号されたビットストリームをそれぞれシフトさせ、Ｍだけシフトされたビットストリームを統合し、チェック用ビットストリームを得る。したがって、Ｎ個のチェック用ビットストリームが、１つまたは複数の（本明細書ではＮ個と表される）シフト・パラメータのグループを用いることで、得られる。そして、中継局は、Ｎ個のチェック用ビットストリームを基地局に送信する。基地局は、事前に、移動端末からＭ個のアップリンク信号を受信している。次いで、基地局は、誤り率を低減するために、Ｎ個のチェック用ビットストリームを、受信したアップリンク信号のチェック情報として用いることで、アップリンク信号の検出能力を向上させることができる。本発明の少なくとも１つの実施形態によれば、誤り率は、ユーザー誤り率（ＵＥＲ）およびブロック誤り率（ＢＬＥＲ）により具体化される。このとき、一般性を失うことなく、Ｍ個のチェック用ビットストリームは、ユーザー間のパリティ・チェック・コード、例えば低密度パリティ・チェック・コード（ＬＤＰＣ）である。
【００１４】
本発明のある実施形態によれば、ＮはＭ以下であり、かつ１以上である。
【００１５】
本発明の一態様によれば、無線中継ネットワークの中継局において、結合処理のために用いられる方法が提供される。その方法は、複数の復号されたビットストリームを生成するために、複数の移動端末からのアップリンク信号の複数の経路をそれぞれ復調および復号するステップと、１つまたは複数のシフト・パラメータのグループのそれぞれに基づいて、以下の操作をそれぞれ実施するステップであって、シフト・パラメータの各グループがＭ個のシフト・パラメータを含むステップと、Ｍ個のシフトされたビットストリームを生成するために、シフト・パラメータのグループの中のＭ個のシフト・パラメータに基づいて、複数の復号されたビットストリーム中のＭ個の復号されたビットストリームをそれぞれシフトするステップと、チェック用ビットストリームを生成するために、Ｍ個のシフトされたビットストリームを統合するステップと、１つまたは複数のチェック用ビットストリームを基地局に送信するステップとを含み、チェック用ビットストリームは、基地局において複数ユーザーの検出の処理に使用される。
【００１６】
本発明の別の態様によれば、無線中継ネットワークの基地局において、複数の移動端末からのアップリンク信号を処理するために使用される方法が提供される。その方法は、１つまたは複数のシフト・パラメータのグループを取得するステップであって、１つまたは複数のシフト・パラメータのグループが、複数の移動端末のアップリンク信号から復調されかつ復号された、複数の復号されたビットストリーム中のＭ個の復号されたビットストリームをシフト処理するために中継局で使用される、ステップを含み、中継局から送信された１つまたは複数のチェック用ビットストリームを受信するステップと、１つまたは複数のチェック用ビットストリームおよび１つまたは複数のシフト・パラメータのグループに基づいて、Ｍ個の移動端末からのアップリンク信号のＭ個の経路を処理するステップとをさらに含む。
【００１７】
本発明のさらに別の態様によれば、無線中継ネットワーク内の中継局において、結合処理を行う第１のデバイスが提供される。ここで、その第１のデバイスは、複数の復号されたビットストリームを生成するために、複数の移動端末からのアップリンク信号の複数の経路をそれぞれ復調および復号するための、復調器および復号器と、１つまたは複数のシフト・パラメータのグループのそれぞれに基づいて、以下の操作をそれぞれ実施するシフト・ユニットおよび統合ユニットであって、シフト・パラメータの各グループがＭ個のシフト・パラメータを含む、シフト・ユニットおよび統合ユニットと、１つまたは複数のチェック用ビットストリームを基地局に送信するための送信機とを含む。上記の操作は、シフト・パラメータのグループの中のＭ個のシフト・パラメータに基づいて、Ｍ個のシフトされたビットストリームを生成するために、複数の復号されたビットストリーム中のＭ個の復号されたビットストリームをシフトし、チェック用ビットストリームを生成するために、Ｍ個のシフトされたビットストリームを統合することであり、チェック用ビットストリームは、基地局において複数ユーザーの検出の処理に使用される。
【００１８】
本発明のさらに別の態様によれば、無線中継ネットワークの基地局において、複数の移動端末からのアップリンク信号を処理する第２のデバイスが提供される。ここで、その第２のデバイスは、１つまたは複数のシフト・パラメータのグループを得る取得ユニットであって、１つまたは複数のシフト・パラメータのグループが、複数の移動端末のアップリンク信号から復調されかつ復号された、複数の復号されたビットストリーム中のＭ個の復号されたビットストリームをシフト処理するために中継局で使用される、取得ユニットと、中継局から送信された１つまたは複数のチェック用ビットストリームを受信する第２の受信機と、１つまたは複数のチェック用ビットストリームおよび１つまたは複数のシフト・パラメータのグループに基づいて、Ｍ個の移動端末からのアップリンク信号のＭ個の経路を処理する実行ユニットとを含む。
【００１９】
本発明で提案される方法およびデバイスを採用することによって、基地局での複数ユーザーの検出における、比較的望ましいユーザー誤り率およびブロック誤り率が、ＳＮＲが低い場合に、確実に保証され得る。加えて、少数のシフト・パラメータのグループを柔軟に使用することによって、すなわち、チェック用ビットストリームを送信するための無線リソースを用いて別の情報（信号）を送信することによって、許容可能な誤り率を前提とした、ネットワークの伝播遅延が確実に低減する。
【００２０】
図面と関連する限定的ではない実施形態の詳細な説明を読むことによって、本発明の別の特徴および利点がより明らかになるだろう。ここで、同一のまたは同様の参照記号は、ステップまたはデバイス（モジュール）の、同一のまたは同様の特徴を意味する。
【図面の簡単な説明】
【００２１】
【図１】無線中継ネットワークの、典型的な概略図である。
【図２】中継局における結合処理および基地局における対応する処理の、システム方法の流れ図である。
【図３】ターボ・コードの冗長性および中継デバイスが転送するＭ個のビットストリームを含むＭ個のビットストリームの概略図である。
【図４】本発明のある実施形態による、シフト・パラメータを示す図である。
【図５】本発明のある実施形態による、シフト・モードの概略図である。
【図６】本発明の実施形態と従来技術との、ユーザー誤り率のシミュレーション結果の比較図である。
【図７】本発明の実施形態と従来技術との、ブロック誤り率のシミュレーション結果の比較図である。
【図８】本発明のある実施形態による、中継局において結合処理を行うための第１のデバイスのブロック図である。
【図９】本発明のある実施形態による、基地局において複数の移動端末からのアップリンク信号を処理するための第２のデバイスのブロック図である。
【発明を実施するための形態】
【００２２】
図２は、本発明の詳細な実施形態による、無線通信ネットワークでの複数ユーザーの検出に使用される、システム方法の流れ図である。以下は、図１とともに図２を参照する、本発明で提案される方法の詳細な説明である。
【００２３】
方法は、Ｓ３０で開始する。ここで、移動端末３１〜３５のそれぞれは、１つのアップリンク信号を直交周波数でそれぞれ送信する。５つのアップリンク信号が全て送信されるので、中継局２０および基地局１０は、それらを受信することができる。ここで、基地局１０と各移動端末との間には、直接的なまたは間接的な経路がなければならない。すなわち、基地局１０は、各移動端末からそのまま送信されたアップリンク信号、または、図１では示されない別の中継局から転送されたアップリンク信号を受信することができる。ここで、上記の別の中継局は、中継局２０が基地局１０と通信するのに使用する無線リソースとは異なる無線リソース、例えば、周波数分割または時分割多重の無線リソースを使用することが好ましい。
【００２４】
当技術分野では、Ｓ３０の実現が十分に行われている。本明細書では、詳細には論じない。
【００２５】
実施例において、中継局２０は、移動端末３１〜３５からの５つのアップリンク信号を結合処理する。すなわち、Ｍは５に等しい。中継局２０がサーブする移動端末は５つ（移動端末３１〜３５）よりも多くてもよく、例えば全部で８つでもよいことを、当業者は理解できる。しかし、そのような移動端末の全てが、本発明で中継局のために提供される、結合処理の方法の適用に適しているわけではない。次いで、中継局２０は、いくつかの移動端末、例えば所定の条件を満たす移動端末３１〜３５を柔軟に選択し、以下で詳細に説明される手順を実行する。選択される移動端末は、以下の条件を満たす。
【００２６】
第１の条件：移動端末３１〜３５のフレームサイズが所定の条件を満たす。詳細には、フレームサイズが実質的に同一である。フレームサイズが短い１つまたはいくつかの移動端末については、フレームの終わりに０が補われ、後続の操作に結合する。
【００２７】
第２の条件：移動端末３１〜３５が、同一の変調モード、例えばＢＰＳＫまたはＱＰＳＫを採用する。
【００２８】
最適には、中継局２０が結合処理する複数の移動端末は通常基地局１０から離れており、したがって基地局１０におけるアップリンク信号の品質は低く、例えばＳＮＲが低く、基地局１０は中継局２０が提供するさらなる情報を特に必要とする。
【００２９】
上記の選択は必須ではないことを理解されたい。例えば、基地局１０が管理するセルに現在位置する８つの移動端末は、ある１つがセルの外に出るか、基地局１０の非常に近い位置に移動するまで、常に中継局２０によって結合処理されるべき対象とされる。
【００３０】
実施例によれば、中継局２０が上記の移動端末を選択すると、選択の手順は好ましくは周期的に繰り返し、図２で示される方法および手順とは独立していてもよい。
【００３１】
８つの移動端末のうち３１〜３５を除く３つから送信されるアップリンク信号の３つの経路については、中継局２０は、Ｌ２中継局における従来の中継モードに従って処理することができ、すなわち、復調し、復号し、かつ信号をノイズに対してフィルタリングし、そして符号化および変調を独立に行った後で、直交周波数で信号を基地局に送信することができる。したがって、３つの移動端末からのアップリンク信号を処理するために基地局１０が採用する方法は、従来技術と同一である。本明細書では、不必要な説明は行わない。また、以下は、主に移動端末３１〜３５の説明を行うものである。
【００３２】
図２の流れ図に戻り、Ｓ１０において、基地局は移動端末３１〜３５からのアップリンク信号を受信した後、アップリンク信号の５つの経路をバッファリングし、その次に中継局２０から送信されるチェック情報を待つ。
【００３３】
同様に、Ｓ２０において、中継局２０はアップリンク信号の５つの経路を復調および復号し、５つの復号されたビットストリームを得る（図３の上半分を参照）。ここで、より一般的には、基地局１０における複数ユーザーの検出のために中継局２０で結合処理される移動端末の数は、Ｍに設定される。本実施形態では、その値は５に設定されるべきであることを、当業者は理解することができる。ＵＳＥＲ１〜ＵＳＥＲＭは、各移動端末から送信されるアップリンク信号、すなわち、復調および復号の後の復号されたビットストリームのＭ個の経路のうちの１つにそれぞれ対応する。ここで、ＵＳＥＲ１を例にとると、Ｕ１，１〜Ｕ１，ｋはｋ個の復号された元のビットを表し、これらのビットは移動端末１がチャネル符号化を実施する対象である。一方、Ｕ１，ｋ＋１〜Ｕ１，１はターボ・コードのチェック情報を表す。
【００３４】
中継局は、Ｍ個のビットストリームを符号化および変調した後、それらを基地局に送信する（図３の下半分を参照）。ここで、ＲＬＹ１を例にとると、当技術分野では、ＲＬＹ１の最初のｋビットとＵＳＥＲ１の最初のｋビットの間には差はない。すなわち、ＲＬＹ１＝ＵＳＥＲ１などである。これは、中継局２０はデータを復号および転送（ＤＦ）して、１次のダイバーシティ利得を得るだけであるためである。本発明の実施形態のうちの少なくとも１つでは、ＲＬＹ１〜ＲＬＹＭの内容は上記とは異なり、このことはＳ２１およびＳ２２によって実現される（図２参照）。ここで、当技術において中継局が送信するビットストリームの説明の便宜上、図３において、ＲＬＹ１〜ＲＬＹＭというＭ個のビットストリームが示される。これは、結合処理を必要とするＭ個の移動端末から送信されたＭ個のアップリンク信号に対して、中継局が復号および転送する信号の数は、ＲＬＹ１〜ＲＬＹＭに対応して、Ｍであるためである。本発明では、１つまたは複数のシフト・パラメータのグループを用いて得られるチェック用ビットストリームの数Ｎ（ＲＬＹによって１つの標識で示される）は常にＭと等しくはないが、Ｍ以下である。
【００３５】
本発明のある実施形態によれば、ガロア体、すなわちネットワーク符号化体系が適用される。ここで、Ｓ２１において、１つまたは複数の、例えば５つのシフト・パラメータのグループが、中継局２０内の５つの移動端末のために使用される。ここで、各シフト・パラメータのグループは、５つ（すなわち上記のＭ個）のシフト・パラメータを含む。また具体的には、以下の操作が各シフト・パラメータのグループに対して実行される。すなわち、５つのシフトされたビットストリームを生成するために、復号されたビットストリームＵＳＥＲ１〜ＵＳＥＲ５のそれぞれが、５つのシフト・パラメータに基づいてシフトされる。
【００３６】
一般性を失うことなく、図４において上記の１つのシフト・パラメータが示される。ここで、ｎはシフト・パラメータのグループの添え字であり、ｍは、パラメータのグループ内のこのシフト・パラメータが、どの移動端末（または復号されたビットストリーム）に対応しているかを示す。実施例では、上で説明されたように、ｎおよびｍの値の範囲は１〜５の正の整数であり、すなわちＮ＝Ｍ＝５である。
【００３７】
シフト・パラメータの万能シフト行列（すなわちシフト・パラメータ）においては、Ｍ行およびＮ列が存在する（図４参照）。ここで、各列の「１」は全てｎ×ｍ番目の行にあり、第２列の「１」は（ｎ×ｍ＋１）番目の行にあり、以下同様である。ここで、シフト・パラメータはシフトレジスタによって実現され得る。
【００３８】
また、ステップＳ２１は、以下のようにも示される。
ｅｎ，ｍ＝ｆｎ，ｍ（ＵＳＥＲｍ）
ｎ＝１．．．Ｎ            （１）
ｍ＝１．．．Ｍ
【００３９】
ここで、Ｎはシフト・パラメータのグループの数である。ｆｎ，ｍ（ＵＳＥＲｍ）は、ｍ番目の復号されたビットストリームＵＳＥＲｍを、ｎ番目のシフト・パラメータのグループ内のｍ番目のシフト・パラメータを用いて、ｎ×ｍビットだけ左に循環シフトすることを表す。ｅｍ，ｎは、ＵＳＥＲｎをシフトすることによって得られるシフトされたビットストリームである。
【００４０】
複数のシフト・パラメータのグループを用いるときには、好ましくは各シフト・パラメータのグループは互いに異なっているべきであることは、明らかである。各シフト・パラメータのグループを用いて、同一の復号されたビットストリームをシフトした後で、異なるシフトされたビットストリームが得られることが実際に保証される。複数のシフト・パラメータのグループが同一である場合、同じＭ個（例えば５つ）のチェック用ビットストリームが、続くＳ２２における統合の後で得られ、このことは基地局１０の唯一のチェック用ビットストリームであるのと同じことである。
【００４１】
図４および式（１）によれば、シフト・モードが図５で示されるように得られる。ここで、列はシフト・パラメータのグループおよび最終的に生成されるチェック用ビットストリームに対応している。行は、シフト・パラメータのグループのシフト・パラメータならびに、特定の移動端末および復号されたビットストリームに対応している。表の各要素は、ビットストリームが、あるシフト・パラメータのグループのあるシフト・パラメータを用いて左に循環シフトされるときの、シフトされるビットの数である。
【００４２】
本明細書は、図４および式（１）によるシフト・パラメータのグループおよびシフト・パラメータの例を紹介するが、当業者は、本明細書の教示によって、工夫が必要な作業を何ら伴うことなく、別の形態のシフト・パラメータのグループおよびシフト・パラメータを用いることによって、Ｓ２１のシフト操作を実施して、Ｎ個の異なる、または実質的に異なるチェック用ビットストリームを得ることができる。ここで、実質的に異なるチェック用ビットストリームとは、２つの異なるシフト・パラメータのグループによってシフトされた後にＳ２２で統合される復号されたビットストリームが、偶然形態が同じ２つのチェック用ビットストリームを生成するということを意味する。
【００４３】
好ましくは、ネットワークで符号化されたパリティ・チェック行列に対応する、タナーグラフ中の内径４の円が存在しないことが、シフト・パラメータによって確実にされるべきである。そうでない場合には、復号理論に従って復号器の性能が低下する。
【００４４】
本発明によれば、図３で示されるターボ・コードのチェック情報が、以下で説明されるシフト操作と関係していても関係していなくてもよい。一般性を失うことなく、この説明ではシフト操作におけるターボ・コードのチェック情報には触れない。
【００４５】
有利には、本発明によれば、中継局２０は、Ｓ２１においてどれだけの移動端末が存在するか、すなわち、中継局２０がどれだけの移動端末のデータ（信号または情報）を結合処理して、基地局１０にチェック用ビットストリームを与えるのかのみを知っている必要がある。そして、各シフト・パラメータのグループは、簡単に得られる。それは、移動端末の数が、本明細書で何度も言及されているようにＭ個であるためである。
【００４６】
基地局１０に、中継局２０によって提供されるチェック用ビットストリームを正常に分析させるために、本発明は多くの実現の方式を提案する。
１．中継局２０と同様のシフト・パラメータを定める機能が、基地局１０に与えられる。すなわち、基地局１０は、中継局２０がステップＳ２０〜Ｓ２１でどれだけの移動端末を結合処理するかのみを知っている必要があり、図４で示されるシフト・パラメータと同様の、ただし限定はされないシフト・パラメータを得る。
２．中継局２０は、専用の制御チャネルにおいて、基地局１０にシフト・パラメータを報告する。例えば、中継局２０は図４に示される行列を送信する。ここで、基地局１０は、中継局２０からパラメータのグループの通知を受信し、必要な各パラメータのグループを抽出する。この方法は行列を送信する必要があるので、シグナリングのオーバーヘッドは確かに増える。
【００４７】
当業者は、本発明を実際に実現する際の必要性に応じて、上記の２つの方法から１つを選択することができる。
【００４８】
あるいは、中継局２０は、Ｓ２１においてシフト・パラメータの５つのグループを用いて５つのシフトされたビットストリームを得た後に、Ｓ２２において、シフトされた各ビットストリームを統合し、１つのチェック用ビットストリームにすることができる。また、中継局２０は、Ｓ２１において５つの復号されたビットストリームがシフト・パラメータの１つのグループを用いてシフトされた後に、Ｓ２２において５つの復号されたビットストリームを統合し、次いで別のシフト・パラメータのグループを使用して、５つのチェック用ビットストリームを得るまで上記の操作を繰り返してもよい。本明細書の記述は、いかなる場合も、Ｓ２１およびＳ２２の操作モードが本発明によって制限されるものとして理解されるべきではないことは確かである。
【００４９】
以下は、Ｓ２２の説明である。本発明の詳細な実施形態によれば、中継局２０は、各シフト・パラメータのグループから得られた５つのシフトされたビットストリームの排他的論理和を実施し、１つのチェック用ビットストリームを生成する。この手順は、式（２）で良好に示される。
【００５０】
【数１】
0005379298.tif 000002
ここで、ＲＬＹｎは、ｎ番目のシフト・パラメータのグループを用いて、Ｍ個のシフトされたビットストリームに排他的論理和を実施することによって得られた、チェック用ビットストリームである。そして、Πｎ，１ＵＳＥＲ１、Πｎ，２ＵＳＥＲ２、．．．、Πｎ，ｍＵＳＥＲｍのそれぞれは、式（１）で示されるｅｎ，ｍである。
【００５１】
Ｓ２２で最終的に得られる各ビットストリームにおいて、各ビットがパリティ・チェックの結果を表すことが理解され得る。ここで、複数のビットストリームは、排他的論理和に参加するか、または循環シフトから得られる。その結果、中継局２０が利用したシフト・モードを基地局１０が知っている場合には、基地局１０は、各チェック用ビットストリームの各チェック用ビットが、元の復号されたビットストリームのどのビットについて得られたチェック結果であるかを、知っている。
【００５２】
中継局２０は、続くＳ２３において、基地局１０における複数ユーザーの検出を支援するために、生成される５つのチェック用ビットストリームを基地局１０に送信する。
【００５３】
実施例では、Ｎ＝Ｍ＝５、すなわちシフトされたビットストリームの５つのグループは、５つのシフト・パラメータのグループによって得られ、各グループは１つのチェック用ビットストリームに統合され、最終的に５つのチェック用ビットストリームが得られる。そして、基地局１０がアップリンク信号の５つの経路を処理するときに、誤りの確率が低くなることがより確実になる。任意選択で、ＮはＭより小さくてもよく、すなわち、中継局２０は１〜４個のシフト・パラメータのグループを用いて、上記の操作を実施してもよい。そして、１〜４個のチェック用ビットストリームが基地局１０に与えられる。Ｎ＝Ｍの場合と比較すると、チェック用ビットストリームをこのように減らすと、誤り率がいくらか犠牲になる（すなわち、誤り率が高くなる）。しかし、システムの通信レートを向上させ、ネットワーク遅延を低減するために、いくらかの無線リソースを節約することができ、かつ基地局または中継局によって割り当てることができる。
【００５４】
実施例において、中継局の中のチェック用ビットストリームの発生モードは、低密度パリティ・チェック（ＬＤＰＣ）の符号化モードであるので、中継局２０から５つのチェック用ビットストリームを受信した後で、基地局１０は、５つのチェック用ビットストリームに基づきＳ１０においてバッファリングされた５つのアップリンク信号を、ＬＤＰＣで復号する。最終的に出力されるＬＬＲ（対数尤度比）の値を、決定値またはターボ復号器の入力のいずれかとして用いることができる。ここで、実施例では、ＬＬＲの値はターボ復号器の入力とは考えられていない。
【００５５】
もちろん、Ｎが５より小さい場合は、基地局１０は５つ未満のチェック用ビットストリームしか受信することができない。しかし、このことは基地局における上記の復号に基本的に影響を与えることはなく、５つのチェック用ビットストリームがある状況と比べて、誤り確率が高くなる程度である。
【００５６】
図６は、本発明の実施形態と従来技術との、ユーザー誤り率のシミュレーション結果の比較図である。
【００５７】
図７は、本発明の実施形態と従来技術との、ブロック誤り率のシミュレーション結果の比較図である。ここで、ブロックは、複数の移動端末からの複数のフレームを含む。シミュレーション環境は、以下の通りである。
−  ネットワークには、１つの基地局、１つの中継局、および３つの移動端末が存在する（全てが図２に示す手順に参加する）。
−  ＬＬＲの出力の結果は、ターボ符号器に結果を入力することなく、直接決定値とされる。
−  伝送経路の損失を考慮せず、全てのチャネルがレイリーフェージングによって独立に分布する。
−  ３つの移動端末は、全てＢＰＳＫ変調を適用する。
−  ３つの移動端末のアップリンク・フレームは全て、１００個の変調シンボルである。
【００５８】
ここで、各図の上側の曲線は、本発明に基づく、ユーザー（ブロック）誤り率とＳＮＲの関係の変化を表す曲線である。各図の下側の曲線は、現在の方法に基づく、ユーザー（ブロック）誤り率とＳＮＲの関係の変化を表す曲線である。本発明に明確な優位性があることが明らかである。
【００５９】
以下では、別の図面とともにデバイスのブロック図を参照して、本発明で提供される各デバイスについて説明する。ここで、図８は、本発明のある実施形態による、中継局において結合処理を行うための第１のデバイスのブロック図である。また、図９は、本発明のある実施形態による、基地局において複数の移動端末からのアップリンク信号を処理するための第２のデバイスのブロック図である。
【００６０】
ここで、示された第１のデバイス２００は、第１の受信機２００１、復調器および復号器２００２、シフト・ユニット２００３、統合ユニット２００４、送信機２００５および選択器２００６を含む。示された第２のデバイスは、取得ユニット１００１、第２の受信機１００２、および実行ユニット１００３を含む。詳細には、取得ユニット１００１は、第３の受信機１００１１および抽出器１００１２を含む。
【００６１】
移動端末３１〜３５の各々は、直交周波数で１つのアップリンク信号をそれぞれ送信する。５つのアップリンク信号が全て送信されるので、中継局２０および基地局１０はそれらを受信することができる。ここで、基地局１０と各移動端末との間には直接的なまたは間接的な経路がなければならない。すなわち、基地局１０は、各移動端末からそのまま送信されたアップリンク信号、または、図１では示されない別の中継局から転送されたアップリンク信号を受信することができる。ここで、上記の別の中継局は、中継局２０が基地局１０と通信するのに使用する無線リソースとは異なる無線リソース、例えば、周波数分割または時分割多重の無線リソースを使用することが好ましい。
【００６２】
上記のアップリンク信号の送信手順の実現は、十分に行われている。本明細書では、詳細には論じない。そうしたアップリンク信号は、中継局２０の第１の受信機２００１と、基地局２１の第２の受信機１００２によってそれぞれ受信される。
【００６３】
実施例において、中継局２０の第１のデバイスは、移動端末３１〜３５からの５つのアップリンク信号を結合処理する。すなわち、Ｍは５に等しい。中継局２０がサーブする移動端末は５つ（移動端末３１〜３５）よりも多くてもよく、例えば全部で８つでもよいことを、当業者は理解できる。しかし、そのような移動端末の全てが、本発明で中継局のために提供される、結合処理の方法の適用に適しているわけではない。次いで、中継局２０は、いくつかの移動端末、例えば所定の条件を満たす移動端末３１〜３５を柔軟に選択し、以下で詳細に説明される手順を実行する。選択される移動端末は、以下の条件を満たす。
【００６４】
第１の条件：移動端末３１〜３５のフレームサイズが所定の条件を満たす。詳細には、フレームサイズが実質的に同一である。フレームサイズが短い１つまたはいくつかの移動端末については、フレームの終わりに０が補われ、後続の操作に結合する。
【００６５】
第２の条件：移動端末３１〜３５が、同一の変調モード、例えばＢＰＳＫまたはＱＰＳＫを採用する。
【００６６】
最適には、中継局２０が結合処理する複数の移動端末は通常基地局１０から離れており、したがって基地局１０におけるアップリンク信号の品質は低く、例えばＳＮＲが低く、基地局１０は中継局２０が提供するさらなる情報を特に必要とする。
【００６７】
上記の選択は必須ではないことを理解されたい。例えば、基地局１０が管理するセルに現在位置する８つの移動端末は、ある１つがセルの外に出るか、基地局１０の非常に近い位置に移動するまで、常に中継局２０によって結合処理されるべき対象とされる。
【００６８】
実施例によれば、中継局２０が上記の移動端末を選択すると、選択の手順は好ましくは周期的に繰り返し、図２で示される方法および手順とは独立していてもよい。
【００６９】
８つの移動端末のうち３１〜３５を除く３つから送信されるアップリンク信号の３つの経路については、中継局２０は、Ｌ２中継局における従来の中継モードに従って処理することができ、すなわち、復調し、復号し、かつ信号をノイズに対してフィルタリングし、そして符号化および変調を独立に行った後で、直交周波数で信号を基地局に送信することができる。したがって、３つの移動端末からのアップリンク信号を処理するために基地局１０が採用する方法は、従来技術と同一である。本明細書では、不必要な説明は行わない。また、以下は、主に移動端末３１〜３５の説明を行うものである。
【００７０】
基地局１０の対応する機能モジュール（図には示されていない）は、移動端末３１〜３５からのアップリンク信号を受け取った後、アップリンク信号の５つの経路をバッファリングし、その次に中継局２０から送信されるチェック情報を待つ。
【００７１】
中継局２０においては、第１のデバイス２００の復調器および復号器２００２を用いて（すなわち図２に示されたＳ２０を実施して）、アップリンク信号の５つの経路を復調および復号し、５つの復号されたビットストリームを得る（図３の上半分を参照）。ここで、より一般的には、基地局１０における複数ユーザーの検出のために中継局２０で結合処理される移動端末の数は、Ｍに設定される。本実施形態では、その値は５に設定されるべきであることを、当業者は理解することができる。ＵＳＥＲ１〜ＵＳＥＲＭは、各移動端末から送信されるアップリンク信号、すなわち、復調および復号の後の復号されたビットストリームのＭ個の経路のうちの１つにそれぞれ対応する。ここで、ＵＳＥＲ１を例にとると、Ｕ１，１〜Ｕ１，ｋはｋ個の復号された元のビットを表し、これらのビットは移動端末１がチャネル符号化を実施する対象である。一方、Ｕ１，ｋ＋１〜Ｕ１，１はターボ・コードのチェック情報を表す。
【００７２】
中継局は、Ｍ個のビットストリームを符号化および変調した後、それらを基地局に送信する（図３の下半分を参照）。ここで、ＲＬＹ１を例にとると、当技術分野では、ＲＬＹ１の最初のｋビットとＵＳＥＲ１の最初のｋビットの間には差はない。すなわち、ＲＬＹ１＝ＵＳＥＲ１などである。これは、中継局２０はデータを復号および転送（ＤＦ）して、１次のダイバーシティ利得を得るだけであるためである。
【００７３】
本発明のある実施形態によれば、ガロア体、すなわちネットワーク符号化体系が適用される。ここで、１つまたは複数の、例えば５つのシフト・パラメータのグループが、中継局２０のシフト・ユニット２００３によって、５つの移動端末のために使用される。ここで、各シフト・パラメータのグループは、５つ（すなわち上記のＭ個）のシフト・パラメータを含む。また具体的には、以下の操作が各シフト・パラメータのグループに対して実行される。すなわち、５つのシフトされたビットストリームを生成するために、復号されたビットストリームＵＳＥＲ１〜ＵＳＥＲ５のそれぞれが、５つのシフト・パラメータに基づいてシフトされる。
【００７４】
一般性を失うことなく、図４において上記の１つのシフト・パラメータが示される。ここで、ｎはシフト・パラメータのグループの添え字であり、ｍは、パラメータのグループ内のこのシフト・パラメータが、どの移動端末（または復号されたビットストリーム）に対応しているかを示す。実施例では、上で説明されたように、ｎおよびｍの値の範囲は１〜５の正の整数であり、すなわちＮ＝Ｍ＝５である。
【００７５】
シフト・パラメータの万能シフト行列（すなわちシフト・パラメータ）においては、Ｍ行およびＮ列が存在する（図４参照）。ここで、各列の「１」は全てｎ×ｍ番目の行にあり、第２列の「１」は（ｎ×ｍ＋１）番目の行にあり、以下同様である。ここで、シフト・パラメータはシフトレジスタによって実現され得る。
【００７６】
また、シフト・ユニット２００３の機能は、上記の式（１）によっても示すことができる。
【００７７】
ここで、Ｎはシフト・パラメータのグループの数である。ｆｎ，ｍ（ＵＳＥＲｍ）は、ｍ番目の復号されたビットストリームＵＳＥＲｍを、ｎ番目のシフト・パラメータのグループ内のｍ番目のシフト・パラメータを用いて、ｎ×ｍビットだけ左に循環シフトすることを表す。ｅｍ，ｎは、ＵＳＥＲｎをシフトすることによって得られるシフトされたビットストリームである。
【００７８】
複数のシフト・パラメータのグループを用いるときには、好ましくは各シフト・パラメータのグループは互いに異なっているべきであることは、明らかである。各シフト・パラメータのグループを用いて、同一の復号されたビットストリームをシフトした後で、異なるシフトされたビットストリームが得られることが実際に保証される。複数のシフト・パラメータのグループが同一である場合、同じＭ個（例えば５つ）のチェック用ビットストリームが、続くＳ２２における統合の後で得られ、このことは基地局１０の唯一のチェック用ビットストリームであるのと同じことである。
【００７９】
図４および式（１）によれば、シフト・モードが図５で示されるように得られる。ここで、列はシフト・パラメータのグループおよび最終的に生成されるチェック用ビットストリームに対応している。行は、シフト・パラメータのグループのシフト・パラメータならびに、特定の移動端末および復号されたビットストリームに対応している。表の各要素は、ビットストリームが、あるシフト・パラメータのグループのあるシフト・パラメータを用いて左に循環シフトされるときの、シフトされたビットの数である。
【００８０】
本明細書は、図４および式（１）によるシフト・パラメータのグループおよびシフト・パラメータの例を紹介するが、当業者は、本明細書の教示によって、工夫が必要な作業を何ら伴うことなく、別の形態のシフト・パラメータのグループおよびシフト・パラメータを用いることによって、シフト・ユニット２００３のシフト操作を実施して、Ｎ個の異なる、または実質的に異なるチェック用ビットストリームを得ることができる。ここで、実質的に異なるチェック用ビットストリームとは、２つの異なるシフト・パラメータのグループによってシフトされた後に統合ユニット２００４で統合される復号されたビットストリームが、偶然形態が同じ２つのチェック用ビットストリームを生成するということを意味する。
【００８１】
好ましくは、ネットワークで符号化されたパリティ・チェック行列に基づく内径４の円が存在しないことが、シフト・パラメータによって確実にされるべきである。そうでない場合には、復号理論に従って復号器の性能が低下する。
【００８２】
本発明によれば、図３で示されるターボ・コードのチェック情報が、以下で説明されるシフト操作と関係していても関係していなくてもよい。一般性を失うことなく、この説明ではシフト操作におけるターボ・コードのチェック情報には触れない。
【００８３】
有利には、本発明によれば、中継局２０は、シフト・ユニット２００３の動作においてどれだけの移動端末が存在するか、すなわち、中継局２０がどれだけの移動端末のデータ（信号または情報）を結合処理して、基地局１０にチェック用ビットストリームを与えるのかのみを知っている必要がある。そして、各シフト・パラメータのグループは、簡単に得られる。それは、移動端末の数が、本明細書で何度も言及されているようにＭ個であるためである。
【００８４】
基地局１０に、中継局２０によって提供されるチェック用ビットストリームを正常に分析させるために、本発明は多くの実現の方式を提案する。
１．中継局２０と同様のシフト・パラメータを定める機能が、基地局１０に与えられる。すなわち、基地局１０は、中継局２０がシフト・ユニット２００３および統合ユニット２００４を用いてどれだけの移動端末を結合処理するかのみを知っている必要があり、図４で示されるシフト・パラメータと同様の、ただし限定はされないシフト・パラメータを得ることができる。
２．中継局２０は、専用の制御チャネルにおいて、基地局１０にシフト・パラメータを報告する。例えば、中継局２０は図４に示される行列を送信する。ここで、取得ユニット１００１の第３の受信機１００１１は、中継局２０からパラメータのグループの通知を受信し、抽出器１００１２に供給し、その後必要な各パラメータのグループを抽出する。この方法は行列を送信する必要があるので、シグナリングのオーバーヘッドは確かに増える。
【００８５】
当業者は、本発明を実際に実現する際の必要性に応じて、上記の２つの方法から１つを選択することができる。
【００８６】
あるいは、中継局２０は、シフト・ユニット２００３によってシフト・パラメータの５つのグループを用いて５つのシフトされたビットストリームを得た後に、統合ユニット２００４によって、シフトされた各ビットストリームを統合し、１つのチェック用ビットストリームにすることができる。また、中継局２０は、シフト・ユニット２００３によって５つの復号されたビットストリームがシフト・パラメータの１つのグループを用いてシフトされた後に、統合ユニット２００４によって５つの復号されたビットストリームを統合し、次いで別のシフト・パラメータのグループを使用して、５つのチェック用ビットストリームを得るまで上記の操作を繰り返してもよい。本明細書の記述は、いかなる場合も、シフト・ユニット２００３および統合ユニット２００４の動作モードが本発明によって制限されるものとして理解されるべきではないことは確かである。
【００８７】
以下は、統合ユニット２００４の動作の説明である。本発明の詳細な実施形態によれば、中継局２０は、各シフト・パラメータのグループから得られた５つのシフトされたビットストリームの排他的論理和を実行し、１つのチェック用ビットストリームを生成する。この手順は、式（２）で良好に示される。
【００８８】
ここで、ＲＬＹｎは、ｎ番目のシフト・パラメータのグループを用いて、Ｍ個のシフトされたビットストリームに排他的論理和を実行することによって得られた、チェック用ビットストリームである。そして、Πｎ，１ＵＳＥＲ１、Πｎ，２ＵＳＥＲ２、．．．、Πｎ，ｍＵＳＥＲｍのそれぞれは、式（１）で示されるｅｎ，ｍである。
【００８９】
統合ユニット２００４で最終的に得られる各ビットストリームにおいて、各ビットがパリティ・チェックの結果を表すことが理解され得る。ここで、複数のビットストリームは、排他的論理和に参加するか、または循環シフトから得られる。その結果、中継局２０が利用したシフト・モードを基地局１０が知っている場合には、基地局１０は、各チェック用ビットストリームの各チェック用ビットが、元の復号されたビットストリームのどのビットについて得られたチェック結果であるかを、知っている。
【００９０】
中継局２０は、基地局１０における複数ユーザーの検出を支援するために、送信機２００５を用いて、生成される５つのチェック用ビットストリームを基地局１０に送信する。
【００９１】
実施例では、Ｎ＝Ｍ＝５、すなわちシフトされたビットストリームの５つのグループは、５つのシフト・パラメータのグループによって得られ、各グループは１つのチェック用ビットストリームに統合され、最終的に５つのチェック用ビットストリームが得られる。そして、基地局１０がアップリンク信号の５つの経路を処理するときに、誤りの確率が低くなることがより確実になる。任意選択で、ＮはＭより小さくてもよく、すなわち、中継局２０は１〜４個のシフト・パラメータのグループを用いて、上記の操作を実施してもよい。そして、１〜４個のチェック用ビットストリームが基地局１０に与えられる。Ｎ＝Ｍの場合と比較すると、チェック用ビットストリームをこのように減らすと、誤り率がいくらか犠牲になる（すなわち、誤り率が高くなる）。しかし、システムの通信レートを向上させ、ネットワーク遅延を低減するために、いくらかの無線リソースを節約することができ、かつ基地局または中継局によって割り当てることができる。
【００９２】
実施例において、中継局の中のチェック用ビットストリームの発生モードは、低密度パリティ・チェック（ＬＤＰＣ）の符号化モードであるので、基地局１０は、実行デバイス１００３を用いて、中継局２０から５つのチェック用ビットストリームを受信した後で保存された５つのアップリンク信号をＬＤＰＣで復号する。最終的に出力されるＬＬＲ（対数尤度比）の値を、決定値またはターボ復号器の入力のいずれかとして用いることができる。ここで、実施例では、ＬＬＲの値はターボ復号器の入力とは考えられていない。
【００９３】
本発明は、上記の特定の実施形態に限定されないことを理解されたい。当業者は、添付の特許請求の範囲内で、様々な変形または修正を行うことができる。
【図１】
0005379298.tif 000003
【図２】
0005379298.tif 000004
【図４】
0005379298.tif 000005
【図５】
0005379298.tif 000006
【図６】
0005379298.tif 000007
【図７】
0005379298.tif 000008
【図８】
0005379298.tif 000009
【図９】
0005379298.tif 000010
【図３】
0005379298.tif 000011